(57)【要約】【課題】  ＭＦＰ機を市場において拡張する場合、各ボード内の不揮発性メモリの情報をインターフェースボードを介して移植することにより、市場において後から機能を付加したり削除したりすることを可能としたデジタル複合機を提供する。【解決手段】  このデジタル複合機１００は、原稿の画情報を光電変換する読み取りセンサ回路３２と、エンジンボード３１と、転写紙に画像を記録する書込み作像回路３３と、各種センサ３４と、モータ、クラッチ、ヒータ、光源等で構成されるＩ／Ｏ部３５と、コントローラボード３７により構成され、エンジンボード３１とコントローラボード３７はケーブル３６によりインターフェースボードを介して接続されている。【選択図】  図２
2005094223.tif 000002
【特許請求の範囲】
【請求項１】
原稿画像を読み取って該原稿画像を光電変換する画像読取手段と、外部装置から送信されたプリンタ言語を書込みイメージに展開して転写紙に記録する画像記録手段と、前記画像読取手段により読み取られた原稿画像を書込みイメージに展開して転写紙に記録する画像複写手段と、前記外部装置との画像データの授受を行う画像通信手段とを備えたデジタル複合機であって、
前記画像読取手段及び画像記録手段を備えたエンジンボードと、前記画像複写手段及び画像通信手段を備えたコントローラボードとが相互にインターフェースボードにより接続されて前記デジタル複合機を構成し、前記エンジンボードのみで複写単体機能として稼動している装置に前記コントローラボードを接続して使用する場合、前記エンジンボードの不揮発性メモリに記憶されたマシン固有情報及びユーザ固有情報を前記インターフェースボードを介して前記コントローラボードの不揮発性メモリに移植して使用することを特徴とするデジタル複合機。
【請求項２】
前記エンジンボードのみで複写単体機能として稼動している装置に前記コントローラボードを接続して使用する場合、前記エンジンボードの不揮発性メモリに複写単体機能として稼動した履歴を記憶しておき、電源投入時に該履歴を前記コントローラボードが認識することにより、前記エンジンボードの不揮発性メモリに記憶されたマシン固有情報及びユーザ固有情報を前記コントローラボードの不揮発性メモリに移植し、該移植が完了後、前記履歴を消去することを特徴とする請求項１に記載のデジタル複合機。
【請求項３】
前記画像読取手段及び画像記録手段を備えたエンジンボードと、前記画像複写手段及び画像通信手段を備えたコントローラボードとが相互にインターフェースボードにより接続されて前記デジタル複合機を構成し、該デジタル複合機の状態から前記コントローラボードを切り離して使用する場合、前記コントローラボードの不揮発性メモリに記憶された情報を前記エンジンボードの不揮発性メモリに移植して使用することを特徴とする請求項１に記載のデジタル複合機。
【請求項４】
前記画像読取手段及び画像記録手段を備えたエンジンボードと、前記画像複写手段及び画像通信手段を備えたコントローラボードとが相互にインターフェースボードにより接続されて前記デジタル複合機を構成し、前記エンジンボードのみで複写単体機能として稼動している装置に前記コントローラボードを接続して使用する場合、若しくは前記デジタル複合機の状態から前記コントローラボードを切り離して使用する場合において、各ボードの不揮発性メモリに記憶されている課金情報に関しては、移植する際に前記課金情報が減額する場合は移植を停止すると共に、前記課金情報が減額しないボードの不揮発性メモリの情報を移植することを特徴とする請求項１又は３に記載のデジタル複合機。
【発明の詳細な説明】
【技術分野】
【０００１】
本発明は、デジタル複合機に関し、さらに詳しくは、複写単体機能から付加機能を追加してデジタル複合機を構成する方法に関するものである。
【背景技術】
【０００２】
コピー機能、プリンタ機能、スキャナ機能、ＦＡＸ機能、その他ネットワーク機能などさまざまな機能を提供するＭＦＰ機において、それらの機能のユーザＩ／Ｆを含めたアプリケーション制御ソフトを搭載したコントローラボードと、主にメカコンを制御するためのエンジンボードとの２種類を有するＭＦＰ機において、コピー単体機能のみを提供する時に、これら２種類のボード構成で提供するとコストが高くなる。そこで、コピー単体機能機においては、エンジンボードだけで、且つコピー機能のユーザＩ／Ｆを含めて実現するように構成されたＭＦＰ機がある。その場合、コピー単体機能を実現するためにもエンジン側ボードにも不揮発ＲＡＭを備え、そこにマシン固有情報やお客様固有情報を記憶している。
また従来技術として特開２００１−１２５４４５公報には、複合機であるデジタル複写機では、あらかじめ、印字要求元からのプリンタ機能、複写機能およびファクシミリ機能などのアプリケーションの別に利用可能なカラーモード（用紙上に形成する画像は白黒かフルカラーかなど、形成する画像の色彩に関するモード）が設定された識別子が付与される。現在設定されている識別子の下で、今回の印字要求のほかに現在すでに別の印字要求の処理が動作中であり、すでに実行中の印字要求と、今回の印字要求とでカラーモードが異なるときは、すでに実行中の印字要求と、今回の印字要求とがインターリーブ機能による割り込み処理により同時並行的に処理されることがないようにする技術について開示されている。
【特許文献１】特開２００１−１２５４４５公報
【発明の開示】
【発明が解決しようとする課題】
【０００３】
しかし、従来のＭＦＰ機では、その単体コピー機を購入したユーザが、後でプリンタ機能、スキャナ機能、ＦＡＸ機能その他ネットワーク機能などを拡張したい場合には、今までは別のマシンを購入しなおす必要があり不経済であった。
逆にユーザがＭＦＰ機として購入して使用中に、コントローラボードの故障などが発生した場合、コントローラボードを取り外して修理する場合があるが、従来の構成の場合、コントローラボードとエンジンボードがないと動作しない構成のモデルが多く、コントローラボードを取り外してしまうとマシンが動作しなくなるといった問題がある。
また、コントローラボードに記憶された課金のためのカウンター値を、改ざんすることが可能な場合が発生してしまうといった問題がある。
また特許文献１に開示されている従来技術は、カラーモードに応じた課金の管理を正確に行うための技術であり、特に、すでに実行中の印字要求と、今回の印字要求とでカラーモードが異なるときは、すでに実行中の印字要求と、今回の印字要求とがインターリーブ機能による割り込み処理により同時並行的に処理されることがないようにして課金の誤動作を防止するものである。従って、本発明のように不正な行為により課金を行うことを防止する技術とは、本質的に異にするものである。
本発明は、かかる課題に鑑み、ＭＦＰ機を市場において拡張する場合、各ボード内の不揮発性メモリの情報をインターフェースボードを介して移植することにより、市場において後から機能を付加したり削除したりすることを可能としたデジタル複合機を提供することを目的とする。
【課題を解決するための手段】
【０００４】
本発明はかかる課題を解決するために、請求項１は、原稿画像を読み取って該原稿画像を光電変換する画像読取手段と、外部装置から送信されたプリンタ言語を書込みイメージに展開して転写紙に記録する画像記録手段と、前記画像読取手段により読み取られた原稿画像を書込みイメージに展開して転写紙に記録する画像複写手段と、前記外部装置との画像データの授受を行う画像通信手段とを備えたデジタル複合機であって、前記画像読取手段及び画像記録手段を備えたエンジンボードと、前記画像複写手段及び画像通信手段を備えたコントローラボードとが相互にインターフェースボードにより接続されて前記デジタル複合機を構成し、前記エンジンボードのみで複写単体機能として稼動している装置に前記コントローラボードを接続して使用する場合、前記エンジンボードの不揮発性メモリに記憶されたマシン固有情報及びユーザ固有情報を前記インターフェースボードを介して前記コントローラボードの不揮発性メモリに移植して使用することを特徴とする。
本発明はスキャナとプリンタ機能をエンジンボードに収納し、コピーとＦＡＸ機能をコントローラボードに収納し、各ボードをインターフェースボードにより接続して複合機を構成している。従って、コピー機単体の場合は、エンジンボードのみで機能し、コピー機単体の場合は、コントローラボードのみで機能するものである。そして各ボードには不揮発性のメモリを備え、マシン固有情報、ユーザ固有情報及び課金情報を記憶している。例えば、コピー機単体で機能しているエンジンボードに後からコントローラボードを接続して複合機として機能させる場合、コントローラボード側の不揮発性メモリには、最新のマシン固有情報及びユーザ固有情報は記憶されていないので、エンジンボードの不揮発性メモリからコントローラボード側の不揮発性メモリにアップロードする。
かかる発明によれば、エンジンボードのみで複写単体機能として稼動している装置にコントローラボードを接続して使用する場合、エンジンボードの不揮発性メモリに記憶されたマシン固有情報及びユーザ固有情報をインターフェースボードを介してコントローラボードの不揮発性メモリにアップロードするので、コントロールボードは最新の情報に基づいて複合機を制御することができる。
【０００５】
請求項２は、前記エンジンボードのみで複写単体機能として稼動している装置に前記コントローラボードを接続して使用する場合、前記エンジンボードの不揮発性メモリに複写単体機能として稼動した履歴を記憶しておき、電源投入時に該履歴を前記コントローラボードが認識することにより、前記エンジンボードの不揮発性メモリに記憶されたマシン固有情報及びユーザ固有情報を前記コントローラボードの不揮発性メモリに移植し、該移植が完了後、前記履歴を消去することを特徴とする。
本発明は、エンジンボードの不揮発性メモリに記憶されたマシン固有情報及びユーザ固有情報をインターフェースボードを介してコントローラボードの不揮発性メモリにアップロードする方法に関する発明である。即ち、エンジンボードの不揮発性メモリの情報を１度もアップロードされていない場合、そのことをエンジンボードの不揮発性メモリにフラグとして記憶しておき、その状態でコントローラボードと接続して、電源が投入されると、コントローラボードがそのフラグを認識してアップロードを開始し、完了するとフラグをクリアしておく。これにより次回からはアップロードは行われない。
かかる発明によれば、エンジンボードの不揮発性メモリに複写単体機能として稼動した履歴を記憶しておき、電源投入時にこの履歴をコントローラボードが認識することにより、エンジンボードの不揮発性メモリに記憶された情報をコントローラボードの不揮発性メモリに移植し、この移植が完了後、履歴を消去するので、次回から同じ動作を行う必要がなく、動作を簡略化することができる。
【０００６】
請求項３は、前記画像読取手段及び画像記録手段を備えたエンジンボードと、前記画像複写手段及び画像通信手段を備えたコントローラボードとが相互にインターフェースボードにより接続されて前記デジタル複合機を構成し、該デジタル複合機の状態から前記コントローラボードを切り離して使用する場合、前記コントローラボードの不揮発性メモリに記憶された情報を前記エンジンボードの不揮発性メモリに移植して使用することを特徴とする。
本発明は請求項１とは逆に、複合機の状態からコントローラボードを切り離して使用する場合、コントローラボードの不揮発性メモリに記憶された情報をエンジンボードの不揮発性メモリにダウンロードする。
かかる発明によれば、複合機の状態からコントローラボードを切り離して使用する場合、コントローラボードの不揮発性メモリに記憶された情報をエンジンボードの不揮発性メモリにダウンロードするので、エンジンボードは最新の情報に基づいたコピー機として機能することができる。
【０００７】
請求項４は、前記画像読取手段及び画像記録手段を備えたエンジンボードと、前記画像複写手段及び画像通信手段を備えたコントローラボードとが相互にインターフェースボードにより接続されて前記デジタル複合機を構成し、前記エンジンボードのみで複写単体機能として稼動している装置に前記コントローラボードを接続して使用する場合、若しくは前記デジタル複合機の状態から前記コントローラボードを切り離して使用する場合において、各ボードの不揮発性メモリに記憶されている課金情報に関しては、移植する際に前記課金情報が減額する場合は移植を停止すると共に、前記課金情報が減額しないボードの不揮発性メモリの情報を移植することを特徴とする。
最もデータとして正確性が要求される情報は課金に関する情報である。即ち、請求項１ではエンジンボードの不揮発性メモリからコントローラボード側の不揮発性メモリにアップロードが発生し、請求項３ではコントローラボードの不揮発性メモリに記憶された情報をエンジンボードの不揮発性メモリにダウンロードすることが発生する。このとき、故意に少ない課金情報のエンジンボードからコントローラボードにアップロードさせ、その状態から他のエンジンボードに接続して、少ない課金情報を他のエンジンボードにダウンロードすることにより、その課金情報を元にして課金をすることができてしまう。そこで本発明ではこれを防止するために、アップロード或いはダウンロードするときに課金情報が減額する場合は、アップロード或いはダウンロードを停止して、課金情報が減額しないボードの課金情報をアップロード或いはダウンロードするようにする。
かかる発明によれば、各ボードの不揮発性メモリに記憶されている課金情報に関しては、アップロード或いはダウンロードする際に課金情報が減額する場合はアップロード或いはダウンロードを停止すると共に、課金情報が減額しないボードの不揮発性メモリの情報をアップロード或いはダウンロードするので、機能の拡張及び縮小に関わらず課金情報を正確に課金することができる。
【発明の効果】
【０００８】
以上記載のごとく請求項１の発明によれば、エンジンボードのみで複写単体機能として稼動している装置にコントローラボードを接続して使用する場合、エンジンボードの不揮発性メモリに記憶されたマシン固有情報及びユーザ固有情報をインターフェースボードを介してコントローラボードの不揮発性メモリにアップロードするので、コントロールボードは最新の情報に基づいて複合機を制御することができる。
また請求項２では、エンジンボードの不揮発性メモリに複写単体機能として稼動した履歴を記憶しておき、電源投入時にこの履歴をコントローラボードが認識することにより、エンジンボードの不揮発性メモリに記憶された情報をコントローラボードの不揮発性メモリに移植し、この移植が完了後、履歴を消去するので、次回から同じ動作を行う必要がなく、動作を簡略化することができる。
また請求項３では、複合機の状態からコントローラボードを切り離して使用する場合、コントローラボードの不揮発性メモリに記憶された情報をエンジンボードの不揮発性メモリにアップロードするので、エンジンボードは最新の情報に基づいたコピー機として機能することができる。
また請求項４では、各ボードの不揮発性メモリに記憶されている課金情報に関しては、アップロード或いはダウンロードする際に課金情報が減額する場合はアップロード或いはダウンロードを停止すると共に、課金情報が減額しないボードの不揮発性メモリの情報をアップロード或いはダウンロードするので、機能の拡張及び縮小に関わらず課金情報を正確に課金することができる。
【発明を実施するための最良の形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の一実施形態に係るデジタル複合機の概略構成図である。このデジタル複合機１００の上面にはコンタクトガラス６が設けられている。また、複写機１００の上部には自動原稿送り装置（以下、単にＡＤＦという）１が設けられており、このＡＤＦ１はコンタクトガラス６を開閉するようにデジタル複合機１００に図示しないヒンジ等を介して連結されている。このＡＤＦ１は、複数の原稿からなる原稿束を載置可能な原稿載置台としての原稿トレイ２と、原稿トレイ２に載置された原稿束から原稿を１枚ずつ分離してコンタクトガラス６に向かって搬送する分離・搬送手段と、分離・搬送手段によってコンタクトガラス６に向かって搬送された原稿をコンタクトガラス６上の読取位置に搬送・停止させるとともに、コンタクトガラス６の下方に配設されたデジタル複合機１００の読取手段（公知の露光ランプ５１、ミラー５２、５５、５６、レンズ５３、ＣＣＤ５４等）５０により読み取りが終了した原稿をコンタクトガラス６から搬出する。給紙モータはコントローラからの出力信号によって駆動されるようになっており、コントローラはデジタル複合機１００から給紙スタート信号が入力されると、給紙モータを正・逆転駆動するようになっている。給紙モータが正転駆動されると、給送ローラ３が時計方向に回転して原稿束から最上位に位置する原稿が給紙され、コンタクトガラス６に向かって搬送される。この原稿の先端が原稿セット検知センサ７によって検知されると、コントローラは原稿セット検知センサ７からの出力信号に基づいて給紙モータを逆転駆動させる。これにより、後続する原稿が進入するのを防止して分離されないようになっている。
【００１０】
また、コントローラは原稿セット検知センサ７が原稿の後端を検知したとき、この検知時点からの搬送ベルトモータの回転パルスを計数し、回転パルスが所定値に達したときに、給送ベルト４の駆動を停止して給送ベルト４を停止することにより、原稿をコンタクトガラス６読取位置に停止させる。また、コントローラは原稿セット検知センサ７によって原稿の後端が検知された時点で、給紙モータを再び駆動し、後続する原稿を上述したように分離してコンタクトガラス６に向かって搬送し、この原稿が原稿セット検知センサ７によって検知された時点からの給紙モータのパルスが所定パルスに到達したときに、給紙モータを停止させて次原稿を先出し待機させる。そして、原稿がコンタクトガラス６の読取位置に停止したとき、デジタル複合機１００によって原稿の読み取りおよび露光が行なわれる。この読み取りおよび露光が終了すると、コントローラには複写機１００から信号が入力されるため、コントローラはこの信号が入力すると、搬送ベルトモータを正転駆動して、搬送ベルト１６によって原稿をコンタクトガラス６から排送ローラ５に搬出する。
【００１１】
上記のように、ＡＤＦ１にある原稿トレイ２に原稿の画像面を上にして置かれた原稿束は、操作部上のプリントキーが押下されると、一番上の原稿からコンタクトガラス６上の所定の位置に給送される。給送された原稿は、読み取りユニット５０によってコンタクトガラス６上の原稿の画像データを読み取り後、給送ベルト４および反転駆動コロによって排出口Ａ（原稿反転排出時の排出口）に排出される。さらに、原稿トレイ２に次の原稿が有ることを検知した場合、前原稿と同様にコンタクトガラス６上に給送される。
第１トレイ８、第２トレイ９、第３トレイ１０に積載された転写紙は、各々第１給紙ユニット１１、第２給紙ユニット１２、第３給紙ユニット１３によって給紙され、縦搬送ユニット１４によって感光体１５に当接する位置まで搬送される。読み取りユニット５０にて読み込まれた画像データは、書き込みユニット５７からのレーザによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８に搬送される。排紙ユニット１８に搬送された転写紙は、ステープルモードを行わない場合は、排紙トレイ１９に排紙される。
尚、図示しないが外部とのインターフェースを司る通信ポートが備えられている。
【００１２】
図２は本発明のデジタル複合機の制御系の構成を示すブロック図である。このデジタル複合機１００は、原稿の画情報を光電変換する読み取りセンサ回路３２と、エンジンボード３１と、転写紙に画像を記録する書込み作像回路３３と、各種センサ３４と、モータ、クラッチ、ヒータ、光源等で構成されるＩ／Ｏ部３５と、コントローラボード３７により構成され、エンジンボード３１とコントローラボード３７はケーブル３６によりインターフェースボードを介して接続されている。そしてエンジンボード３１は、読み取りセンサ回路３２からの信号を画像処理する読取画像処理ＬＳＩ３１ａと、読取画像処理ＬＳＩ３１ａにより処理された信号を画像圧縮、伸長、回転処理を行うＬＳＩ３１ｂと、画像処理された画像を記憶する画像メモリ３１ｃと、マシン固有情報及びユーザ固有情報を記憶する不揮発メモリ３１ｄと、ワークメモリとして使用する揮発メモリ３１ｅと、制御用のプログラムを格納するフラッシュＲＯＭ３１ｆと、エンジンボード全体を制御するＣＰＵ３１ｇと、コントローラボード３７とのインターフェースを行うコントローラボードＩ／Ｆ３１ｈと、各種センサ３４と、モータ、クラッチ、ヒータ、光源等で構成されるＩ／Ｏ部３５を制御するＩ／Ｏ制御用ＬＳＩ３１ｉとを備えて構成されている。
またコントローラボード３７は、エンジンボード３１とのインターフェースを行うエンジンボードＩ／Ｆ３７ａと、画像の変倍、補正等を行う画像編集ＬＳＩ３７ｂと、機能を拡張する時にボードを挿入する拡張ボードコネクタ３７ｃと、コントローラボード３７の全体を制御するＣＰＵ３７ｄと、制御用のプログラムを格納するフラッシュＲＯＭ３７ｅと、ワークメモリとして使用する揮発メモリ３７ｆと、課金情報等を記憶する不揮発ＲＡＭ３７ｇと、外部のデバイスとインターフェースするＵＳＢＩ／Ｆ３７ｈと、ハードディスクとインターフェースするＨＤＤＩ／Ｆ３７ｉと、ネットワークとインターフェースするネットワークＩ／Ｆ３７ｊと、ＳＤカードとインターフェースするＳＤカードＩ／Ｆ３７ｋとを備えて構成される。
【００１３】
次に図２を参照して概略動作について説明する。まず、主にメカコン制御および単体コピー時のユーザＩ／Ｆやシステム制御を行うエンジンボード３１について説明する。本実施形態のエンジンボード３１は、単体コピー機として動作する機能を持っている。従って、画像読み取りセンサ関連回路や画像処理を行うためのＬＳＩや作像エンジンを制御するためのＬＳＩや各種駆動モータやクラッチなどを制御するＩ／Ｏ制御用ＬＳＩなどを持つ構成となっている。また、画像編集などの機能を実現するための画像メモリ、そしてマシン固有データや課金カウンターやユーザ登録データなどを記憶しておく不揮発メモリを持っている。
次に、プリンタ機能やスキャナ機能やＦＡＸ機能や各種ネットワーク関連機能を提供するコントローラボード３７について説明する。本実施形態のコントローラボード３７は、エンジンボード３１とＩ／Ｆ（Ｉ／Ｆについては、一般的なＩ／Ｆでもよいし独自でもよい。ここでは言及しない。）にて接続され、エンジン側と画情報および各種コマンドのやりとりを行う。コントローラボード３７上には、プリンタ機能、スキャナ機能、ＦＡＸ機能や各種ネットワーク関連機能およびコントローラボードが装着された場合には、コピー機能もコントローラ側で制御する構成となっている。このコントローラボード３７上にも画像編集機能を実現するための画像メモリやマシン固有データや課金カウンターやユーザ登録データなどを記憶しておく不揮発ＲＡＭを持っていて、機能が多い分、これらのサイズはエンジンボード上の不揮発ＲＡＭよりも容量が多い構成となっている。
【００１４】
（第１の実施形態の動作説明）
本発明の第１の実施形態では、エンジンボード３１のみのコピー単体機能機として稼動しているマシンにおいて、後からコントローラボード３７を装着し、各種機能を拡張する場合である。コントローラボード３７の装着がない場合、エンジンボード３１のみでコピー単機能を実現しており、その際に必要なマシン固有データやお客様情報などはエンジンボード３１上の不揮発メモリ３１ｄに記憶されていてそれを使用している。そこにコントローラボード３７が装着された場合のコピー機能は、コントローラボード３７側が制御を行うため、コピー機能に関連するマシン固有情報やお客様情報は、コントローラ側の不揮発ＲＡＭ３７ｇに記憶されている情報を使用して制御を行っている。そうなると、コントローラ装着なしでコピー単機能機として稼動させていた後にコントローラボード３７を装着し機能拡張を行った場合は、エンジンボード３１上の不揮発メモリ３１ｄの情報をコントローラ側に送る必要がある。
図３はエンジンボード３１上の不揮発メモリ３１ｄの情報をコントローラ側に送る時の動作を説明する図である。同じ構成要素には同じ参照番号が付されている。まず、コントローラボード３７が装着されて無く、単体のコピー機能機として稼動した場合、そのことをエンジンボード３１上の不揮発メモリ３１ｄ（単体コピー稼動フラグ）に「不揮発データアップロード要状態」として記憶しておく。その後、コントローラボード３７を装着して装置の電源を入れると、エンジンボード３１からエンジレディ４０が送出され、コントローラボード３７がそれを受信するとコントローラ接続検知信号４１が返送され、それにより、エンジンボード３１は単体コピー稼動フラグにて、市場拡張して最初の電源ＯＮであることを検知し、コントローラボード３７にエンジン接続検知信号４２を返送する。そして単体コピーで使用していたマシン固有データや客先情報をコントローラボード３７に移植するために、市場拡張データアップロード４３を行う。すると、コントローラボード３７からコントローラ市場拡張データ受信完了信号４４が送信される。
以上のように、単体コピー稼動フラグの状態をチェックし、もし、単体コピー機として稼動した履歴があった場合、市場拡張データアップロード手順にてエンジン側の不揮発ＲＡＭ３１ｄの情報をコントローラ側に転送する。受け取ったコントローラ側は、コントローラ側の不揮発ＲＡＭ３７ｇにその値を反映する。コントローラ側にアップロードする必要のある不揮発データ全ての送信が完了した時点で、前述した単体コピー稼動フラグを「不揮発データアップロード済み状態」に変更しておく。これにより、次以降の電源ＯＮ時では既に不揮発データをアップロード済みであることがわかるため、エンジン側の不揮発データをアップロードさせる必要は無くなる。
【００１５】
（第２の実施形態の動作説明）
本発明の第２の実施形態では、コントローラボード３７がある状態で稼動していたマシンにおいて、後からコントローラボード３７を取り外した時に、取り外す前でのコピー機能に関連する情報が取り外した後も引き継がれているという場合である。
図４は、ＭＦＰ機状態で市場拡張データの書き換えが発生した場合を説明する図である。同じ構成要素には同じ参照番号が付されている。まずコントローラボード３７から変更されたマシン固有情報や客先情報をエンジンボード３１にダウンロードするために市場拡張データダウンロード４５が行われる。するとエンジンボード３１は受け取ったデータをエンジン側不揮発メモリ３１ｄに書込み、市場拡張データダウンロード完了通知４６を返送する。
以上のように、コントローラ装着状態でコピー単機能機で必要な不揮発データが変更された場合、コントローラ側の不揮発データをエンジン側にダウンロードする。エンジン側はこれを受けて、エンジン側の不揮発データを変更する。こうしておくことで、コントローラボードが取り外されても、コピー機能に関する不揮発データは引き継がれることになる。
【００１６】
（第３の実施形態の動作説明）
本発明の第３の実施形態では、例えば、コントローラ装着無しのマシンでコピートータル枚数が１０００枚であるマシンＡがあったとする。一方、コントローラ装着ありのマシンでコピートータル枚数が２０００枚であるマシンＢがあったとする。この場合、マシンＡにマシンＢのコントローラボードを装着すると、第１の実施形態の手順でエンジンボード３１からコントローラボード３７へ不揮発データのアップロードが発生し、コントローラボード３７上の不揮発データのコピートータル枚数が１０００枚となってしまう。そのコントローラをマシンＢに取り付けると、マシンＢのエンジン側の不揮発ＲＡＭ３１ｄのコピートータル枚数は２０００枚となっているが、コントローラ側が１０００枚となっていて、マシンＢでは、前述した単体コピー稼動フラグは、「不揮発データアップロード済み状態」となっているので、エンジン側からコントローラ側へのアップロードは発生しない。そのまま１枚コピーをとると、今度は、コントローラ側のコピートータル枚数が１０００枚から１００１枚に変更される。このとき、第２の実施形態の手順でエンジン側不揮発データのコピートータル枚数が１００１枚に変更される。こうすることにより、コピートータル枚数を改ざん（減らして）しまうことが可能となる。
これを防止するために、カウンターに関するデータにおいては、減る方向への書き換えはコントローラ側もエンジン側も行わないこととし、もし、エンジン側のカウンター値よりも少ない値でコントローラ側からダウンロードされた場合は、エンジン側のカウンターを書き換えないだけではなく、エンジン側のカウンター値をアップロードするようにする。これにより、コントローラ側とエンジン側のカウンター値は揃うことになる。
【図面の簡単な説明】
【００１７】
【図１】本発明の一実施形態に係るデジタル複合機の概略構成図である。
【図２】本発明のデジタル複合機の制御系の構成を示すブロック図である。
【図３】本発明のエンジンボード３１上の不揮発メモリ３１ｄの情報をコントローラ側に送る時の動作を説明する図である。
【図４】本発明のＭＦＰ機状態で市場拡張データの書き換えが発生した場合を説明する図である。
【符号の説明】
【００１８】
３１  エンジンボード、３２  読み取りセンサ回路、３３  書込み作像回路、３４  各種センサ、３５  Ｉ／Ｏ部、３６  ケーブル、３７  コントローラボード
【図１】
2005094223.tif 000003
【図２】
2005094223.tif 000004
【図３】
2005094223.tif 000005
【図４】
2005094223.tif 000006